(57)【要約】【課題】ダブルラッシェル機で編成された経編地であって、低コストで製造可能で、色彩を有する柄が形成されたものを提供する。【解決手段】シングルジャカードダブルラッシェル機によって編成された、前側基布１と後ろ側基布２とを備える経編地において、ジャカード糸が、前側基布１と後ろ側基布２とを連結し、かつ、後ろ側基布２にジャカード柄を形成している。【選択図】図１
2018066079.tif 000002
【特許請求の範囲】
【請求項１】
シングルジャカードダブルラッシェル機によって編成された、前側基布と後ろ側基布とを備える経編地において、
ジャカード糸が、前記前側基布と前記後ろ側基布とを連結し、かつ、前記後ろ側基布にジャカード柄を形成している経編地。
【請求項２】
前記後ろ側基布が多色の糸からなる、請求項１に記載の経編地。
【請求項３】
前記後ろ側基布の編み目において、前記後ろ側基布を形成する糸と前記ジャカード糸とが逆方向にラッピングしている、請求項１又は２に記載の経編地。
【請求項４】
シューズのアッパーに用いられる請求項１〜３のいずれか１項に記載の経編地。
【発明の詳細な説明】
【技術分野】
【０００１】
本発明は経編地に関する。
【背景技術】
【０００２】
ダブルラッシェル機で編成された経編地は、前側基布と後ろ側基布とが連結糸で連結された構造となる。従来からダブルラッシェル機としてジャカードバーを備えるものが普及していた。このようなダブルラッシェル機で編成された経編地では、連結糸が、ジャカードバーでないガイドバーにより供給され、前側基布と後ろ側基布とを周期的な間隔で連結していた。そして、ジャカードバーにより供給されたジャカード糸が、前側基布又は後ろ側基布に、目の細かいネット状の小さな模様を形成するのが一般的であった。
【０００３】
ところで、従来から、ダブルラッシェル機で編成された経編地であって、目の細かいネット状の小さな模様ではなく色彩を有する大きな柄を有するものが望まれていた。そこで、ダブルラッシェル機で編成された経編地に色彩を有する大きな柄を形成するために、編成後の経編地にプリントを施すことが行われていた。しかし、プリントにコストがかかるうえ、プリント部分が経編地部分と異なる質感になってしまっていた。
【０００４】
また、特許文献１に記載されているように、分割型ジャカードバーを２対備えるダブルラッシェル機を用いることにより、色彩を有する大きな柄を有する経編地を製造することが提案されていた。しかし分割型ジャカードバーを２対も備えるダブルラッシェル機は高価であるため、経編地の製造にコストがかかっていた。
【先行技術文献】
【特許文献】
【０００５】
【特許文献１】特開２００７−３０８８０９号公報
【発明の概要】
【発明が解決しようとする課題】
【０００６】
本発明は、以上の実情に鑑みてなされたものであり、ダブルラッシェル機で編成された経編地であって、低コストで製造可能で、色彩を有する柄が形成されたものを提供することを課題とする。
【課題を解決するための手段】
【０００７】
実施形態の経編地は、シングルジャカードダブルラッシェル機によって編成された、前側基布と後ろ側基布とを備える経編地において、ジャカード糸が、前記前側基布と前記後ろ側基布とを連結し、かつ、前記後ろ側基布にジャカード柄を形成していることを特徴とする。
【発明の効果】
【０００８】
本実施形態の経編地では、ジャカード糸が前側基布と後ろ側基布とを連結しかつ後ろ側基布にジャカード柄を形成しているため、後ろ側基布に色彩を有する柄を形成することができる。しかもシングルジャカードダブルラッシェル機によって編成された経編地であるため、低コストで製造可能である。
【図面の簡単な説明】
【０００９】
【図１】シングルジャカードダブルラッシェル機の主要部の側面図。
【図２】本実施形態の編組織図。
【図３】本実施形態におけるジャカードバーＪＢ４、ＪＢ５による編組織図。（ａ）は前部編針列ＦＮに対してオーバーラッピングするようにジャカード機構を作用させた場合の編組織図。（ｂ）は後部編針列ＢＮに対してオーバーラッピングするようにジャカード機構を作用させた場合の編組織図。
【図４】本実施形態の経編地１０の後ろ側面３の図。
【図５】変更例の経編地１０の後ろ側面３と、経編地１０の編成のために糸を供給するビーム２０を示す図。
【発明を実施するための形態】
【００１０】
本実施形態の経編地１０は、経編機の一種であるシングルジャカードダブルラッシェル機で編成される。シングルジャカードダブルラッシェル機の主要部を図１に示す。この経編機はダブルラッシェル機なので、前部編針列ＦＮと後部編針列ＢＮとを備える。前部編針列ＦＮ及び後部編針列ＢＮは、それぞれ、経編機の幅方向に１列に並べられた多数の編針からなる。
【００１１】
またこの経編機は、シングルジャカードタイプの経編機なので、１対の分割型ジャカードバーを備える。１対の分割型ジャカードバーとは、図１に示すように、２枚のハーフゲージのジャカードバー（ハーフゲージのジャカードバーとは、ハーフセット分のジャカードガイドを備えるジャカードバーのことである。）ＪＢ４及びＪＢ５が対になったものであり、２枚のハーフゲージのジャカードバーＪＢ４及びＪＢ５（すなわち１対の分割型ジャカードバー）全体でフルゲージとなる（フルセット分のジャカードガイドを備える）ものである。
【００１２】
ジャカードバーＪＢ４、ＪＢ５はそれぞれ基本組織を編成するための運動をする。それに伴い、ジャカードバーＪＢ４、ＪＢ５にそれぞれ設けられている複数のジャカードガイドは基本組織を編成するための運動をする。基本組織を編成するための運動に加えて、これらのジャカードガイドは、それぞれジャカード機構の作用により独立して変位可能となっている。そのため複数のジャカードガイドはそれぞれ異なる運動をすることができる。ジャカード機構が作用すると、ジャカードガイドは基本組織の編成中の位置よりも１Ｇの距離（隣接する２本の編針の間の距離）だけ左に変位する。ジャカード機構は、オーバーラップの時だけ作用させることも、アンダーラップの時だけ作用させることも、オーバーラップとアンダーラップの両方の時に作用させることもできる。
【００１３】
またこの経編機は１対の分割型ジャカードバーの前後にそれぞれガイドバーを備える。図１に公知の経編機の一例を示す。図１の経編機は、１対の分割型ジャカードバーより前に３枚のガイドバーを備える。この３枚のガイドバーは前から順にガイドバーＧＢ１、ガイドバーＧＢ２、ガイドバーＧＢ３である。また、図１の経編機は、１対の分割型ジャカードバーより後ろに１枚のガイドバーＧＢ６を備える。ガイドバーＧＢ１、ＧＢ２、ＧＢ３、ＧＢ６はそれぞれ編組織を編成するための運動をする。それに伴い、ガイドバーＧＢ１、ＧＢ２、ＧＢ３、ＧＢ６にそれぞれ設けられている複数のガイドは全て同じ運動をする。
【００１４】
なお、１対の分割型ジャカードバーの前後にそれぞれ２枚のガイドバーを備える経編機も公知である。
【００１５】
図１の経編機を使用した経編地１０の編成においては、分割型ジャカードバーより前のガイドバーＧＢ１、ＧＢ２、ＧＢ３の全てが使用される必要は無い。以下の説明では、分割型ジャカードバーより前の３枚のガイドバーのうち、ガイドバーＧＢ２及びガイドバーＧＢ３が編成に使用されるものとする。
【００１６】
本実施形態の経編地１０の編成では、ガイドバーＧＢ２及びガイドバーＧＢ３は前側基布１の編成に用いられ、ガイドバーＧＢ６は後ろ側基布２の編成に用いられ、ジャカードバーＪＢ４及びジャカードバーＪＢ５は前側基布１と後ろ側基布２との連結に用いられる。そのため、ガイドバーＧＢ２及びガイドバーＧＢ３には前側基布１を形成する糸が供給され、ガイドバーＧＢ６には後ろ側基布２を形成する糸が供給され、ジャカードバーＪＢ４及びジャカードバーＪＢ５には前側基布１と後ろ側基布２とを連結する連結糸４となる糸が供給される。
【００１７】
ジャカードバーＪＢ４、ＪＢ５に供給される糸の色は、ガイドバーＧＢ２、ＧＢ３、ＧＢ６に供給される糸の色と異なる。これにより、経編地１０の後ろ側基布２に、糸の色の違いから生じるジャカード柄が形成される。一例として、ここでは、ジャカードバーＪＢ４、ＪＢ５にはある１色の糸が供給され、ガイドバーＧＢ２、ＧＢ３、ＧＢ６には別の１色の糸が供給されるものとする。
【００１８】
本実施形態の編組織の例を図２に示す。図２において、Ｆは前部編針列ＦＮによる編みコースを、Ｂは後部編針列ＢＮによる編みコースを、それぞれ示している。図２にはガイドバーＧＢ２、ＧＢ３、ＧＢ６による編組織が示されている。ガイドバーＧＢ２の編組織は０−０／０−０／１−１／１−１／／の繰り返し単位からなる。ガイドバーＧＢ３の編組織は１−０／０−０／２−３／３−３／／の繰り返し単位からなる。ガイドバーＧＢ６の編組織は０−０／２−３／３−３／１−０／／の繰り返し単位からなる。
【００１９】
さらに、図２には、ジャカードバーＪＢ４、ＪＢ５による基本組織すなわちジャカード機構が作用しない場合のジャカードバーＪＢ４、ＪＢ５による編組織が示されている。ジャカードバーＪＢ４、ＪＢ５による編組織は、０−０／１−０／０−０／０−０／／の繰り返し単位からなる。
【００２０】
図３には、ジャカードバーＪＢ４、ＪＢ５による上記の基本組織が破線で示され、ジャカード機構が作用したときのジャカードバーＪＢ４、ＪＢ５による編組織の例が実線で示されている。なお、図中のＨはジャカード機構を作用させないことを表している。この場合、ジャカードガイドは基本組織を編成する場合と同じ位置にあることになる。図中のＴはジャカード機構を作用させることを表している。この場合、ジャカードガイドは基本組織を編成する位置から左へ変位することになる。ＴとＨは１つのニードルの上下段に記載されているが、上段のＴ又はＨはオーバーラッピング時にジャカード機構を作用させること又はさせないことを、下段のＴ又はＨはアンダーラッピング時にジャカード機構を作用させること又はさせないことを、それぞれ表している。
【００２１】
図３（ａ）は、ジャカード機構の作用により、ジャカードバーＪＢ４、ＪＢ５が前部編針列ＦＮに対してオーバーラッピングした場合の編組織の例を表している。図３（ａ）の編組織は、０−１／１−１／１−０／０−０／／の繰り返し単位からなる。この例のようにジャカードバーＪＢ４、ＪＢ５が前部編針列ＦＮに対してオーバーラッピングすると、ジャカードバーＪＢ４、ＪＢ５から供給される糸（ジャカード糸）が前側基布１に編み込まれる。そして経編地１０の前側基布１側の表面（前側面）には、ジャカード糸が現れる。
【００２２】
図３（ｂ）は、ジャカード機構の作用により、ジャカードバーＪＢ４、ＪＢ５が後部編針列ＢＮに対してオーバーラッピングした場合の編組織の例を表している。図３（ｂ）の編組織は、１−１／１−０／０−０／０−１／／の繰り返し単位からなる。この例のようにジャカードバーＪＢ４、ＪＢ５が後部編針列ＢＮに対してオーバーラッピングすると、ジャカード糸が後ろ側基布２に編み込まれる。そして経編地１０の後ろ側基布２側の表面（後ろ側面３）には、ジャカード糸が現れる。図２及び図３（ｂ）の例のように、ジャカードバーＪＢ４、ＪＢ５の後部編針列ＢＮに対するオーバーラッピングの方向は、後ろ側基布２の編成に用いられるガイドバーＧＢ６の後部編針列ＢＮに対するオーバーラッピングの方向と、逆行していることが望ましい。言い換えれば、後ろ側基布２の編み目において、ジャカード糸と、後ろ側基布２を形成する糸とが、逆方向にラッピングしていることが望ましい。
【００２３】
なお、ジャカード糸が前側基布１と後ろ側基布２とに交互に編み込まれると、ジャカード糸は前側基布１と後ろ側基布２とを連結する連結糸４として機能する。
【００２４】
図４は、本実施形態の経編地１０の後ろ側面３を示したものの一例である。この経編地１０は、シューズのアッパーに用いられるアッパー部１１とその周辺部１２とが一体として編成されたものである。アッパー部１１は、無地部１３、つま先柄部１４、かかと柄部１５及び上柄部１６からなる意匠になっている。無地部１３はジャカード糸が後ろ側基布２に編み込まれて後ろ側面３に現れた部分である。そのため無地部１３全体がジャカード糸の色となっている。また、経編地１０のつま先柄部１４及び左右両側のかかと柄部１５では、ジャカード糸が前側基布１に編み込まれている。そのため、つま先柄部１４及びかかと柄部１５ではジャカード糸が後ろ側面３に存在せず、つま先柄部１４全体及びかかと柄部１５全体が後ろ側基布２を形成する糸（すなわちガイドバーＧＢ６から供給される糸）の色となっている。また、経編地１０の上柄部１６では、ジャカード糸が前側基布１と後ろ側基布２とに交互に編み込まれている。そのため、上柄部１６はジャカード糸の色と後ろ側基布２を形成する糸の色が混在した部分となっている。以上のようにして経編地１０の後ろ側面３に色彩を有する大きな柄が形成されている。なお、このようにジャカード糸が前側基布１や後ろ側基布２に編み込まれることによって形成される柄のことを、ジャカード柄と言う。
【００２５】
なお、無地部１３、つま先柄部１４及び左右両側のかかと柄部１５のように、広範囲にわたってジャカード糸が前側基布１又は後ろ側基布２のいずれか一方のみに編み込まれている領域では、前側基布１と後ろ側基布２とが連結されていない。このように連結されていない領域を非連結領域とする。非連結領域が広大になることが望ましくない場合やデザイン上望ましい場合等は、非連結領域の中央付近においてジャカード糸が前側基布１と後ろ側基布２とを連結している部分連結領域が設けられていても良い。図４には、つま先柄部１４の中央付近に部分連結領域１７が設けられている様子が示されている。
【００２６】
また、この経編地１０の前側面では、ジャカード糸が前側基布１に編み込まれている部分がジャカード糸の色となっており、ジャカード糸が後ろ側基布２に編み込まれている部分が前側基布１を形成する糸（すなわちガイドバーＧＢ２、ＧＢ３から供給される糸）の色となっている。また、ジャカード糸が前側基布１と後ろ側基布２とに交互に編み込まれている部分では、ジャカード糸の色と前側基布１を形成する糸の色が混在している。
【００２７】
また周辺部１２の編組織は、限定されないが、例えばジャカード糸が前側基布１と後ろ側基布２とに交互に編み込まれている。この周辺部１２及び上柄部１６のようにジャカード糸が前側基布１と後ろ側基布２とに編み込まれている部分では、前側基布１と後ろ側基布２とがジャカード糸によって連結されている。
【００２８】
なお、実際にシングルジャカードダブルラッシェル機で編成される経編地は、複数枚の経編地１０が経方向及び緯方向に連なったものである。
【００２９】
本実施形態の経編地１０は、シューズの他にも、アウター等の衣料やインテリア用品等の様々な物に用いることができる。
【００３０】
このように、本実施形態の経編地１０では、ジャカード糸が前側基布１と後ろ側基布２とを連結しかつ後ろ側基布２にジャカード柄を形成しているため、プリントが施されていないにもかかわらず、後ろ側基布２に色彩を有する大きな柄が形成されている。しかもシングルジャカードダブルラッシェル機によって編成された経編地であるため、低コストで製造されたものとなっている。
【００３１】
また、ジャカードバーＪＢ４、ＪＢ５の後部編針列ＢＮに対するオーバーラッピングの方向が、後ろ側基布２の編成に用いられるガイドバーＧＢ６の後部編針列ＢＮに対するオーバーラッピングの方向と逆行していれば、ジャカード糸が後ろ側基布２に編み込まれている領域において、後ろ側面３にジャカード糸のみが現れ、ジャカード糸の色が綺麗に出る。
【００３２】
上記実施形態は例示であり、発明の範囲はこれに限定されない。上記実施形態に対し、発明の要旨を逸脱しない範囲で、様々な省略、置換、変更を行うことができる。以下では上記実施形態に対する変更例について説明する。
【００３３】
上記実施形態では、ジャカードバーＪＢ４、ＪＢ５にはある１色の糸が供給され、ガイドバーＧＢ２、ＧＢ３、ＧＢ６には別の１色の糸が供給された。この場合ジャカード柄は２色からなる。しかし、ジャカードバーＪＢ４、ＪＢ５にはある１色の糸が供給され、ガイドバーＧＢ２、ＧＢ３には別の１又は２以上の色の糸が供給され、後ろ側基布２の編成に用いられるガイドバーＧＢ６には多色の糸が供給されても良い。ガイドバーＧＢ６に多色の糸が供給されることにより後ろ側基布２が多色からなるものとなり、そこへさらにジャカード糸の色が加わって多色の柄が形成される。
【００３４】
ガイドバーＧＢ６に多色の糸を供給する方法について説明する。経編地の編成のために、ビーム（「ＧＢ６用ビーム」とする）からガイドバーＧＢ６に糸が供給される。ＧＢ６用ビームには事前に整経機によって糸が巻き付けられる。このとき、整経機が、ＧＢ６用ビームに巻き付ける糸の色を、ＧＢ６用ビームの幅方向に変える。このようにすれば、ガイドバーＧＢ６には幅方向に異なった色の糸が供給される。
【００３５】
具体的な例を図５に基づき説明する。図５の経編地１１０には２つのアッパー部１１が幅方向に並べて設けられている。また図５のＧＢ６用ビーム２０は、左から順に部分１０１〜１１６を有する。図５では、ＧＢ６用ビーム２０と経編地１１０とが上下に並べて描かれており、ＧＢ６用ビーム２０の部分１０１〜１１６と、ＧＢ６用ビーム２０の部分１０１〜１１６から供給される糸からなる編地部分とが、上下方向に一致するように描かれている。部分１０１から部分１０３までの連続する部分、部分１０６から部分１０８までの連続する部分、部分１０９から部分１１１までの連続する部分、部分１１４から部分１１６までの連続する部分は、それぞれ、整経機による１回の巻き付け工程で糸が巻き付けられる部分である。ここで、部分１０２、１１５は、両足外側のかかと柄部１５に供給される糸が巻き付けられる部分で、部分１０７、１１０は、両足内側のかかと柄部１５に供給される糸が巻き付けられる部分である。また、部分１０４、１０５、１１２、１１３は、それぞれ、整経機による１回の巻き付け工程で糸が巻き付けられる部分である。
【００３６】
そして、両足外側のかかと柄部１５に糸を供給する部分１０２、１１５にはある色（ここでは例として青とする）の糸が巻き付けられ、両足内側のかかと柄部１５に糸を供給する部分１０７、１１０には別のある色（ここでは例として黄とする）の糸が巻き付けられ、部分１０１、１０３〜１０６、１０８、１０９、１１１〜１１４、１１６にはさらに別のある色（ここでは例として赤とする）の糸が巻き付けられる。また、ジャカードバーＪＢ４、ＪＢ５にはさらに別のある色（ここでは例として黒とする）の糸がビームから供給される。
【００３７】
これらのビームから糸が供給されて、上記実施形態の図４の経編地１０と同じ編成がなされると、経編地１１０の後ろ側面３に多色からなるジャカード柄が描かれる。具体的には経編地１１０の後ろ側面３は次のようになる。ジャカード糸が前側基布１に編み込まれている部分では、後ろ側面３は後ろ側基布２を形成する糸の色となる。より具体的には、つま先柄部１４が赤、両足外側のかかと柄部１５が青、両足内側のかかと柄部１５が黄となる。また、ジャカード糸が後ろ側基布２に編み込まれている部分では、後ろ側面３はジャカード糸の色となる。より具体的には、無地部１３が黒となる。また、ジャカード糸が前側基布１と後ろ側基布２とに交互に編み込まれている部分では、後ろ側面３は後ろ側基布２を形成する糸の色とジャカード糸の色とが混在した状態となる。より具体的には、上柄部１６が赤と黒の混在状態となる。このように経編地１１０がカラフルなものとなる。
【符号の説明】
【００３８】
ＦＮ…前部編針列、ＢＮ…後部編針列、ＧＢ１、ＧＢ２、ＧＢ３、ＧＢ６…ガイドバー、ＪＢ４、ＪＢ５…ジャカードバー、１…前側基布、２…後ろ側基布、３…後ろ側面、４…連結糸、１０…経編地、１１…アッパー部、１２…周辺部、１３…無地部、１４…つま先柄部、１５…かかと柄部、１６…上柄部、１７…部分連結領域、２０…ＧＢ６用ビーム、１１０…経編地、１０１〜１１６…部分
【図１】
2018066079.tif 000003
【図２】
2018066079.tif 000004
【図３】
2018066079.tif 000005
【図４】
2018066079.tif 000006
【図５】
2018066079.tif 000007